(57)【要約】【課題】ハンドル等に取付けて使用する電池を電源とする自転車用照明装置において、電池交換の作業性が悪いことと、嵌合方式による外観形状への多くの制約条件が発生するという課題がある。【解決手段】自転車の構成部品に固定するための取付け具と、前記取付け具と着脱自在に連結可能な本体部と、前記本体部の中に納まり光源や電源を有する機能部から構成され、前記機能部は前記本体部からスライドさせることで抜差し可能になっており、前記本体部の中に前記機能部が納まった状態で、前記取付け具を前記本体部と連結させると、前記本体部から前記機能部が抜けなくなり、また前記取付け具を前記本体部から外すと、前期本体部と前記機能部が抜差し可能になる構造とする。【選択図】図２
2008105579.tif 000002
【特許請求の範囲】
【請求項１】
自転車の構成部品に固定するための取付け具と、
前記取付け具と着脱自在に連結可能な本体部と、
前記本体部の中に納まり光源や電源を有する機能部から構成され、
前記機能部は前記本体部からスライドさせることで抜差し可能になっており、前記本体部の中に前記機能部が納まった状態で、前記取付け具を前記本体部と連結させると、前記本体部から前記機能部が抜けなくなり、また前記取付け具を前記本体部から外すと、前期本体部と前記機能部が抜差し可能になる構造であることを特徴とする自転車用照明装置。
【請求項２】
前記取付け具との連結部には、前記本体部を外面から内面に貫通した孔が設けられ、前記孔に位置し、前記本体部の外面に突出する形状をもつ固定部品が前記本体部と結合部品により固定されており、前記機能部を前記本体部に収納した際に前記固定部品の上方に位置する前記機能部の底面に前記固定部品と噛合う少なくとも凹もしくは凸のいずれかの形状したかかり部を設けている構造であることを特徴とする請求項１記載の自転車用照明装置。
【請求項３】
前記本体部と前記固定部品の間に、前記固定部品に対し常に外面方向へ圧力を加えるバネ性を持った部品が配置されていることを特徴とする請求項２記載の自転車用照明装置。
【請求項４】
前記固定部品が前記本体部の外面と内面の両側に突出する形状を持ち、前記固定部品の前記本体部内面に突出している部分の形状が、前記機能部の前記かかり部と傾斜を持って噛合い、また前記取付け具を前記本体部に連結した際は、前記固定部品が上方に持ち上げられ、前記かかり部と前記固定部品の突出部が垂直に噛合う形状であることを特徴とする請求項２もしくは３記載の自転車用照明装置。
【発明の詳細な説明】
【技術分野】
【０００１】
本発明は主に自転車のハンドル部等に取付けて使用する電池を電源とする自転車用照明装置に関する。
【背景技術】
【０００２】
従来、自転車のハンドル部等に取付けて使用する照明装置では、特許文献１に示すように、電池交換の際に開閉する結合部が自転車走行時の振動等により容易に緩んだり外れたりしない為に、ネジ式嵌合やバイヨネット式嵌合等の回転方式の強固な結合にしたり、更には自転車のハンドル部等に固定するための取付け具に照明装置をセットすることで嵌合部の回転を抑制し緩みを防ぐ構造である。回転方式故に嵌合部は円形でなければならず、またその近辺には回転する際に障害となるような形状はとれない等の外観形状に多くの制約を伴う課題があった。
【特許文献１】特開２００４−１８９１２７号公報
【発明の開示】
【発明が解決しようとする課題】
【０００３】
本発明は、主に自転車のハンドル部に取付けて使用する照明装置を提供するものである。従来の特許文献１などにおいては、電池交換の際に開閉する結合部が自転車走行時の振動等により容易に緩んだり外れたりしない為に、バイヨネット式嵌合等の回転方式を採用し、その嵌合操作力を強めに設定したり、更には自転車のハンドル部等に固定するための取付け具に照明装置をセットすることで嵌合部の回転を抑制し緩みを防ぐ構造としている。そのため、嵌合時の作業性が悪く、かつ回転方式故に嵌合部は円形でなければならず、またその近辺には回転する際に障害となるような形状はとれない等の外観形状に多くの制約を伴うという課題を有していた。
【課題を解決するための手段】
【０００４】
本発明は前記課題を解決するために、自転車の構成部品に固定するための取付け具と、前記取付け具と着脱自在に連結可能な本体部と、前記本体部の中に納まり光源や電源を有する機能部から構成され、前記機能部は前記本体部からスライドさせることで抜差し可能になっており、前記本体部の中に前記機能部が納まった状態で、前記取付け具を前記本体部と連結させると、前記本体部から前記機能部が抜けなくなり、また前記取付け具を前記本体部から外すと、前期本体部と前記機能部が抜差し可能になる構造としている。
【発明の効果】
【０００５】
以上の説明から明らかなように、本発明は機能部を本体部からスライドさせることで抜差し可能になっており、取付け具を本体部に連結させると本体部から機能部が抜けなくなるという構成により、バイヨネット式嵌合などの回転方式の課題であった、緩み防止のために嵌合を強くすれば、電池交換などの作業性が悪くなり、嵌合を緩めれば走行時に脱落する事や、回転させて嵌合する為、形状が円形に限られていた事を解決し、操作性・安全性・デザイン性で品質の高い自転車用照明装置を提供できる。
【発明を実施するための最良の形態】
【０００６】
本発明において、本体部と固定部品の間に、固定部品に対し常に外面方向へ圧力を加えるバネ性を持った部品が配置する構造とすることで、使用しているうちに固定部品が変形して固定機能を果たさなくなることを防ぐことが出来る。
【０００７】
また、固定部品を本体部の外面と内面の両側に突出する形状とし、本体部と取付け具を
セットしていない状態において、固定部品の本体部内面に突出している部分の形状が、機能部のかかり部と噛合う構成とすることで、自転車から離れる際に盗難防止の為取付け具から照明装置を外しかばんなどに入れるような場合でも、容易に外れてしまうことを防ぐことができる。
【０００８】
以下本発明の一実施例について図面を参照して説明する。図１（Ａ）は本発明の一実施例における照明装置の機能部が本体部に挿入されている状態での外観側面図で、図１（Ｂ）は同照明装置の機能部が本体部から一部取り出している状態での外観側面図である。図２は同照明装置の本体部２と機能部７の断面図、図３は同照明装置の孔８周辺の断面図で、図４は同照明装置の本体部２に取付け具１がセットされた状態での孔8周辺の周辺の断面図である。
【０００９】
図１、図２に示すように、自転車に固定するための取付け具１と、前記取付け具１と着脱自在に連結可能な本体部２と、前記本体部２の中に納まり光源３や反射鏡４、レンズ５と電池ボックス６が一体化された機能部７から構成されている。図１（Ｂ）に示すように前記機能部７は前記本体部２からスライドさせることで抜差し可能になっており、前記本体部２の前記取付け具１との連結部には、前記本体部２を外面から内面に貫通した孔８が設けられ、前記孔８に位置し前記本体部２の内面と外面両側に突出する形状をもつ固定部品９が前記本体部２とばね１０を間に介して結合部品１１により固定されており、前記機能部７を前記本体部２に収納した際に前記固定部品９の上方に位置する前記機能部７の底面に凹部１２を設けている。ばね１０は固定部品９に対し常に外面方向へ圧力を加えているばねであり、使用しているうちに固定部品が変形して固定機能を果たさなくなることを防いでいる。
【００１０】
上記構成において動作を説明する。電池を前記照明装置にセットするために前記レンズ５の両側面を掴み前記機能部７を前記本体部２からスライドさせる。図３で示すように、前記固定部品９の前記本体部２の内面に突出した凸Ａ１３は前記凹部１２と傾斜を持って噛合っている為、前記凹部１２の角が前記凸Ａ１３の傾斜に当接することにより凸Ａ１３を下方に移動させ、前記本体部２から前記機能部７が取り出される。前記電池ボックス６に電池を入れた後、前記本体部２に前記機能部７をスライドさせて挿入する。図４で示すように奥まで挿入されると前記凸Ａ１３が再び前記凹部１２に噛合い仮固定の状態になる。この状態で前記本体部２を前記取付け具１にセットすると、前記固定部品９の前記本体部２の外面に突出した凸Ｂ１４が前記取付け具１と接触し、前記本体部２の内面方向に押されて、前記固定部品９の前記凸Ａ１３は更に前記凹部１２の奥に入り込む、この状態では、前記固定部品９と前記凹部１２は垂直同士に噛合う為、いかなる振動や衝撃が加わっても前記本体部２から前記機能部７が外れなくなる。前記本体部２を前記取付け具１から取外すと、前記固定部品９の前記凸Ａ１３と前記凸Ｂ１４が元の位置に戻り仮固定の状態となり、再び前記機能部７をスライドすることで前記本体部２から着脱が可能となる。
【産業上の利用可能性】
【００１１】
本発明にかかる自転車用照明装置は、ハンドル等に固定する取付け具に本体部をセットするだけで、自転車走行時の振動などにより機能部が本体部から不用意に脱落することを防止できる。またその為に外観形状に多くの制約ができるなどの外観を犠牲にすることもないので、自転車のハンドル部等に取付けて使用する自転車用照明装置に有用である。
【図面の簡単な説明】
【００１２】
【図１】（Ａ）本発明の一実施例における照明装置の機能部が本体部に挿入されている状態での外観側面図、（Ｂ）同照明装置の機能部が本体部から一部取り出している状態での外観側面図
【図２】同照明装置の本体部２と機能部７の断面図
【図３】同照明装置の孔８周辺の断面図
【図４】同照明装置の本体部２に取付け具１がセットされた状態での孔8周辺の周辺の断面図
【符号の説明】
【００１３】
１    取付け具
２    本体部
３    光源
４    反射鏡
５    レンズ
６    電池ボックス
７    機能部
８    孔
９    固定部品
１０  ばね
１１  結合部品
１２  凹部
１３  凸Ａ
１４  凸Ｂ
【図１】
2008105579.tif 000003
【図２】
2008105579.tif 000004
【図３】
2008105579.tif 000005
【図４】
2008105579.tif 000006